(57)【要約】【課題】簡単な構成により、あらゆるシーンにおいて主要被写体に正しくピントを合わせた写真を撮影できるカメラを提供する。【解決手段】中央視線検出部３は撮影者がファインダ画面内の中央部分を見ているか否かを検出し、該情報を判定部１０に出力する。多点ＡＦ部１は、画面内の複数のポイントを測距できるように構成されており、該測距情報も判定部１０に出力される。判定部１０は、これら情報に基づいてピント合せ距離を決定し、該結果に基づいてピント合せ部２を制御してピントを合せる。かかる構成により、単に一か所の視線方向を検出するだけで、マルチＡＦの副作用を克服した高精度のピント合せが行える。【選択図】　　図１
2004004909.tif 000002
【特許請求の範囲】
【請求項１】
撮影画面内の中央を含んだ複数ポイントの測距データを検出することが可能なカメラにおいて、
撮影者がファインダ画面周辺部を注視しているか否かのみを検出する視線検出手段と、
上記視線検出手段により、撮影者が画面周辺部を注視していると判断された場合には、画面周辺部の複数の測距データの中から１つの測距データを選択し、画面周辺部を注視していないと判断された場合には、中央の測距データを選択する選択手段と、
を具備したことを特徴とするカメラ。
【請求項２】
さらに、上記ファインダ画面内において画面周辺部の測距ポイントに対応する表示を行う第２の表示手段を具備し、この表示手段は、測距データ検出時と上記視線検出手段の作動時とでその表示態様が異なることを特徴とする請求項１に記載のカメラ。
【発明の詳細な説明】
【０００１】
【発明の属する技術分野】
本発明は、撮影者の視線方向を検出して撮影者が画面のどの部分を撮影したいかを判定する機能を有するカメラに関する。
【０００２】
【従来の技術】
従来より、カメラ等の撮像装置においては、使用者がファインダ内のどの部分を見ているかを、該使用者の視線方向より判定し、所謂多点ＡＦの選択の参考とする種々の技術が提案されている。
【０００３】
例えば、米国特許第４５７４３１４号では、撮影者の見ている方向に存在する被写体にピントを合わせる技術が提案されている。かかる技術によれば、視線方向検出部と測距方向可変自在の測距部を組み合わせることにより、例えば図４（ａ）に示されるように画面中央に主要被写体である人物がいない構図においても正しく人物にピントが合わせられるカメラを提供することができる。
【０００４】
この他にも、画面内の複数のポイントを測距して、即ち多点ＡＦによる各ポイントの測距結果から最至近距離を示す被写体にピントを合わせるような技術も提案されている。
【０００５】
【発明が解決しようとする課題】
しかしながら、上記米国特許第４５７４３１４号では、視線方向を検出するのにテレビカメラを利用しており、構成が複雑且つ高価なものとなっていた。さらに、最至近選択の多点ＡＦでは、図４（ａ）に示されるような画面中央に主要被写体がいないシーンでは主要被写体の人物にピント合わせが可能だが、図４（ｂ）のようなシーンでは画面中央の人物にピントを合わせることができないといった欠点があった。
【０００６】
また、視線方向を検出するのは、撮影者の目の個人差や眼鏡使用の有無といった条件差が大きく、状況によっては大変困難である。そこで、信頼性が低くなっても写真画面には影響しないような設計上の工夫が必要であった。
【０００７】
本発明は上記問題に鑑みてなされたもので、その目的とするところは、簡単な構成により、あらゆるシーンにおいて主要被写体に正しくピントを合わせた写真を撮影できるカメラを提供することにある。
【０００８】
【課題を解決するための手段】
上記目的を達成するために、本発明の第１の態様では、撮影画面内の中央を含んだ複数ポイントの測距データを検出することが可能なカメラにおいて、撮影者がファインダ画面周辺部を注視しているか否かのみを検出する視線検出手段と、上記視線検出手段により、撮影者が画面周辺部を注視していると判断された場合には、画面周辺部の複数の測距データの中から１つの測距データを選択し、画面周辺部を注視していないと判断された場合には、中央の測距データを選択する選択手段と、を具備したことを特徴とするカメラが提供される。
【０００９】
第２の態様では、上記第１の態様において、さらに、上記ファインダ画面内において画面周辺部の測距ポイントに対応する表示を行う第２の表示手段を具備し、この表示手段は、測距データ検出時と上記視線検出手段の作動時とでその表示態様が異なることを特徴とするカメラが提供される。
【００１０】
【発明の実施の形態】
以下、図面を参照して、本発明の実施例について説明する。
【００１１】
先ず図１には本発明のカメラの概念図を示し説明する。
【００１２】
図１（ａ）に示されるカメラは、中央視線検出部３と多点ＡＦ部１の出力が判定部１０の入力に接続され、該判定部１０の出力がピント合せ部２の入力に接続された構成となっている。かかる構成において、中央視線検出部３は撮影者がファインダ画面内の中央部分を見ているか否かを検出し、該情報を判定部１０に出力する。多点ＡＦ部１は、画面内の複数のポイントを測距できるように構成されており、該測距情報も判定部１０に出力される。判定部１０は、これら情報に基づいてピント合せ距離を決定し、該結果に基づいてピント合せ部２を制御してピントを合せる。従って、このカメラによれば、単に一か所の視線方向を検出するだけで、マルチＡＦの副作用を克服した高精度のピント合せが可能となる。
【００１３】
次に図１（ｂ）に示されるカメラは、右視線検出部４ａと左視線検出部４ｂとが一体に構成された視線検出部４の出力が判定部１０の入力に接続され、該判定部１０の出力が多点ＡＦ部１、分割ＡＥ部５、そしてピント合せ部２の入力に接続された構成となっている。かかる構成において、視線検出部４は撮影者が画面内の右方向を見ているか左方向を見ているかのみを検出する。そして、右視線検出部４ａ、左視線検出部４ｂによって撮影者が画面内の右または左を見ていないと判定された時には、多点ＡＦの中央の測距結果を優先する。従って、条件によって視線検出が困難な状況においても確率的に主要被写体の存在確率の高い中央測距を優先するので、失敗のない写真撮影が可能である。また、測距ポイントに合せて画面内を分割して測距できる分割ＡＥ部５を設けているので、ピントばかりでなく、露出も主要被写体に合せることができる。この構成では、撮影者が右を見た時及び左を見た時のみを比較判定すればよいので、視線方向を検出し易く、失敗が起きにくいといった利点がある。
【００１４】
次に図２には本発明の第１の実施例に係るカメラの構成を示し説明する。
【００１５】
尚、同図に示される構成は、図１（ａ）を更に具現化したものであり、中央視線検出部３、多点ＡＦ部１の構成を詳細に示している。
【００１６】
この図２において、符号７は撮影者の目であり、符号７ａは盲点である。該盲点７ａは視神経の集合部で網膜に光が当たっても視覚を生じない部分であり、ここには視細胞は存在せず比較的反射率の高い組織で覆われているので反射率が高いことが知られている。第１の実施例では、当該網膜７ａにハーフミラー１５を介して赤外発光ダイオード（ＩＲＥＤ）１１の光を入射させ、該反射信号光をハーフミラー１５で反射させ、受光素子１８を用いて受光する。この光路中には、偏光フィルタ１６，１７が配置されており、眼球７の角膜表面や眼鏡表面からの正反射光は透過しないようになっている。
【００１７】
上記ＩＲＥＤ１１に電流を流して発光制御するのがドライバ１３である。これに対して、ドライバ１４は可視のＬＥＤ１２に電流を流して発光制御する。該ＬＥＤ１２より投射された可視光はレンズ１２ａで集光され撮影者の眼球に入射される。このＬＥＤ１２は、カメラファインダ画面の中央部を表示するよう発光することもできる。撮影者がこの画面中央部を注視する時、ＩＲＥＤ１１の光は撮影者の眼球の眼底で拡散反射して反射信号光となり、受光素子１８に入射するように各素子は配置されている。受光素子１８としては、入射した位置を検出できる機能を持った半導体光位置検出素子（ＰＳＤ）を用い、該ＰＳＤ上のどの位置に反射信号光が入射したか判断できるようになっている。これにより、撮影者の視線位置がどこを向いているかを、ある範囲では連続的にモニタすることができる上、撮影者の眼の個体差を考慮した検出をも可能としている。
【００１８】
このＰＳＤ１８は、光入射位置に依存した２つの信号電流を出力するので、専用の集積回路（ＩＣ）１９は、この２つの信号電流をアナログ的に演算して、光位置に比例する信号に変換する。
【００１９】
ここで、図２（ａ）では、ファインダの光学系を図示していないが、これを図示すると図２（ｂ）の符号２９のようになる。撮影者は、このファインダ光学系２９を介して被写体３０を観察すると同時にハーフミラー２８を介してＩＲＥＤ１１の光を眼底に受光することができるようになっている。
【００２０】
また、図２（ａ）の符号１には詳細な多点ＡＦ部１の詳細な構成例を示す。符号２５ａ，２５ｂ，２５ｃは独立点灯可能な赤外発光ダイオード（ＩＲＥＤ）であり、選択式ドライバ２０を介して順次投光制御される。ＩＲＥＤ２５ａ，２５ｂ，２５ｃの光は投光レンズ２４を介して投射され、被写体からの反射信号光は受光レンズ２１を介してＰＳＤ２２上に入射する。
【００２１】
投受光レンズ２１，２４は、所定の基線長だけ離して配置されているので、三角測距の原理に従って、被写体距離に応じて基線長方向に反射光入射位置が変化する。ＡＦＩＣ２３は、ＰＳＤ２２の２つの電流信号から信号光の入射位置を演算するための集積回路である。これらの回路をシーケンス制御し、ＩＣ１９，２３の出力より、視線位置や被写体距離を計算するのがワンチップマイクロコンピュータ等からなるＣＰＵ１０である。
【００２２】
以下、図３のフローチャートを参照して、第１の実施例に係るカメラのＣＰＵ１０の動作を説明する。
【００２３】
ＣＰＵ１０は、カメラのレリーズ釦の半押し状態で開成する１ｓｔレリーズスイッチ３１の状態を検出し（ステップＳ１）、当該スイッチ３１がＯＮされると、撮影者が撮影に入ったとしてステップＳ２以降のシーケンスに移る。
【００２４】
続いて、測距用ＩＲＥＤ２５ａ，２５ｂ，２５ｃを順次発光させ、画面内の３ポイントを測距し（ステップＳ２）、ファインダ画面中央部に表示用ＬＥＤ１２を点灯させ、使用者に画面内中心を示す（ステップＳ３）。使用者が当該画面中央部を注視すると、眼底照明用のＩＲＥＤ１１が照明用光が入射し易くなるように配置されているので、ＩＲＥＤ１１を発光させ、ＩＣ１９から眼底からの反射光入射位置に依存した信号Ｖｃを入力する（ステップＳ４）。
【００２５】
このＶｃが所定の範囲と判定されたならば（ステップＳ５）、画面内中心の表示ＬＥＤ１２を点滅させ、使用者に画面中央にピントを合せることを認知させる（ステップＳ６）。そして、レリーズ釦の押し込みによって開成する２ｎｄレリーズスイッチ３２の状態を検出するのだが（ステップＳ７）、これがＯＮすると、中央の測距結果ｌｃをピント合せ距離ｌｐとし（ステップＳ８）、ピント合せを行う（ステップＳ９）。その後、ＣＰＵ１０はシャッタ機構を制御して露光動作を行い（ステップＳ１０）、表示用ＬＥＤ１２を消灯してシーケンスを終了する（ステップＳ１１）。
【００２６】
一方、ステップＳ５において、「Ｎｏ」に分岐すると、画面中央以外を撮影者は見ていたと判断し、２ｎｄレリーズスイッチがＯＮすると（ステップＳ１２）、画面内の左右、中央の測距結果のうち最至近の結果をピント合せ距離ｌｐとしてステップＳ９に移行する（ステップＳ１４）。以降の処理は上述したステップＳ９乃至Ｓ１１に準ずる。
【００２７】
以上説明したように、第１の実施例に係るカメラでは、図４（ａ）のようなシーンでも、図４（ｂ）のようなシーンでも、簡単に素早く人物にピント合せすることができる。
【００２８】
第１の実施例では、咄嗟のレリーズ釦の押し込みで視線検出動作が１回しか行えず、その信頼性が低くても、多くの場合はステップＳ１４のマルチＡＦの最至近選択を行うので、通常のマルチＡＦ並みの精度のピント合せが保証される。また、レリーズ釦をゆっくりと慎重に押し下げるような状況では視線検出動作の信頼性が上がる。
【００２９】
さらに、図４（ｂ）に示すような雑然とした被写体のあるシーンでは、使用者が慎重にゆっくりとレリーズを行えば、確実に視線検出が行え、中央の被写体３０に正しくピントを合せることができる。中央選択時には表示用ＬＥＤ１２が点滅するので失敗もない。また、何度も視線検出を行い、表示点滅状態で構図を変更することにより、フォーカスロック撮影も可能である。
【００３０】
また、図４（ａ）のようなシーンでも、先ず人物３０を画面中心におき、レリーズ釦を半押して表示ＬＥＤを点滅させた後、構図を図４（ａ）の位置に戻せば確実に人物３０にピント合せができる。このように、本実施例は従来提案された視線検出結果を基にしたＡＦカメラより、遥かに単純な構成で効果のあるＡＦカメラを提供するものである。
【００３１】
さらに、第１の実施例では、３点ＡＦをステップＳ２で行った後に視線検出を行っているが（ステップＳ４）、視線検出を行った後にＡＦを行うようにしてもよい。また、ＰＳＤ１８の出力に基づく信号Ｖｃの判定レンジβ１，β２を使用者の個人差を考慮して可変できるようにしてもよい。
【００３２】
次に、図５には前述した図１（ｂ）に基づく本発明の第２の実施例に係るカメラの構成を示し説明する。第２の実施例は、図２に符号３として示した視線検出部を２つ用意して、使用者が画面内左右のいずれの方向を見ているかを検出できるようにしたものである。従って、ここでは検出原理については説明を省略し、図２（ａ）に図示したレンズ１２ａや偏光板１６，１７等は図示していない。
【００３３】
また、測距装置は図２（ａ）に符号１として示したものを想定し、画面内の複数のポイントの測光を行うための測光部５を追加した。測光部５は、三分割のセンサ４１ａ，４１ｂ，４１ｃと受光レンズ４２とセンサ出力の処理回路４３からなり、符号４１ａは図５（ｂ）画面８内の５ａの部分からの光をレンズ４２を介して集光して受光し、センサ４１ａ，４１ｃは各々画面内の５ｂ，５ｃの部分を受光し、これらの受光量は回路４３によって測光結果としてＣＰＵ１０に入力される。さらに、ＣＰＵ１０は、ＡＦ部１によって画面８の中の位置１ａ，１ｂ，１ｃを各々時分割して測距可能である。また、視線検出用の表示用ＬＥＤは１２ａ，１２ｂの位置に点灯している。
【００３４】
従って、使用者がこれらの表示用ＬＥＤを注視すると、ＩＲＥＤ１１ａ又は１１ｂの光が眼底で反射して、該反射光がセンサ１８ａ又は１８ｂに入射する。もし、使用者の眼が７０ａの位置にあれば、図示した光路でセンサ１８ａに光が入射し、眼が７０ｂの位置にあれば、センサ１８ｂに光が入射する。
【００３５】
よって、これらのセンサ出力を各々アンプ１９ａ，１９ｂで増幅し、比較器４０にて比較すれば、左右いずれの方向を見ているかが単純に比較できる。さらに、ＩＲＥＤ１１ａ，１１ｂをパルス状に投光できるようにし、投光時と非投光時のセンサ出力を比較器４０で比較できるようにしておく。ＩＲＥＤ１１ａ，１１ｂの非投光時と投光時の出力差がなければ使用者はそちらの方は見ていないと考えられるので、このような構成により、左右のいずれの方向を見ているか、あるいは見ていないかを判別することができる。
【００３６】
以下、図６のフローチャートを参照して、かかる構成の第２の実施例に係るカメラのＣＰＵ１０の動作を説明する。動作を開始すると、ＣＰＵ１０は１ｓｔレリーズスイッチの状態を判定し（ステップＳ１０１）、当該１ｓｔレリーズスイッチがＯＮされると、表示用ＬＥＤ１２ａ，１２ｂを点灯させ（ステップＳ１０２）、ＩＲＥＤ１１ａ，１１ｂの発光時及び非発光時のアンプ１９ａ，１９ｂの出力ＶＲ，ＶＬ及びＶＲ０，ＶＬ０がＣＰＵ１０に入力される（ステップＳ１０３，Ｓ１０４）。続いて、右側視線用ＩＲＥＤ１１ａを発光させた時のアンプ１９ａの出力ＶＲが非発光時のアンプ１９ａの出力ＶＲ０よりも大きい時には（ステップＳ１０５）、使用者は右側を見ているとして表示用ＬＥＤ１２ａを点滅させ（ステップＳ１１７）、レリーズスイッチが押し込まれていればステップＳ１１８を「ＹＥＳ」に分岐し、右側測距用のＡＦＩＲＥＤ（図２（ａ）では符号２５ａ）を発光させて測距を行い（ステップＳ１２０）、右側測光用センサ４１ａの出力をもとに測光値Ｂを検出する（ステップＳ１２１）。
【００３７】
そして、距離ｌにピント合せ（ステップＳ１１０）、上記測光値Ｂに基づいて露光を行い（ステップＳ１１１）、最後に表示用ＬＥＤを消灯させてシーケンスを終了する（ステップＳ１１２）。また、ステップＳ１０５を「Ｎｏ」に分岐すれば、左側視線用のセンサ１８ｂのＩＲＥＤ１１ｂ投光時、非投光時の出力結果を比較し、投光時の結果ＶＬが非投光時の結果ＶＬ０より明らかに大きければステップＳ１１３へと分岐し、左側測距、測光を行い（ステップＳ１１５，Ｓ１１６）、ステップＳ１１０以降のシーケンスに移行する。
【００３８】
また、ステップＳ１０６を「Ｎｏ」に分岐すると、画面左右は見ていないとして画面中央の測距・測光を行い（ステップＳ１０８，Ｓ１０９）、その結果に従って、ピント合せを行い（ステップＳ１１０）、露光動作を行う（ステップＳ１１１）。
【００３９】
以上説明したように、第２の実施例では、使用者の見ている所が左か右かだけを検出すればよいので、視線検出装置を従来のものに比べ、簡単な構成且つ安価にできるといった利点がある。さらに、第２の実施例でも、図４（ａ），（ｂ）のいずれのシーンでも失敗なく、正しく被写体３０にピント合せをすることができ、露出も合せることが可能になる。
【００４０】
また、視線判定が困難な状況では、主要被写体のうち、７〜８割が存在するとされる画面中央部優先（中央重点）の設計となっているので、失敗の少ない写真撮影が楽しめる。また、残りの２〜３割の写真は画面中央以外に存在するのが、この時には、視線検出を行って画面右側又は左側の測距データ、測光データを選択すればよい。この時、使用者にとって、画面内の近接した２点を見分けるのは困難であるし、検出装置側でも使用者の視線方向の微妙な変化を検出するには複雑且つ高価な技術を要することになる。そこで、第２の実施例では、２つの視線検出ポイントはなるべく離間させ、図５（ｂ）の位置１２ａ，１２ｂのように視線ポイント表示を行っている。
【００４１】
従来技術では、なるべく測距ポイント１ａ，１ｂ，１ｃと一致したポイントに視線検出エリア１２ａ，１２ｂなどを設けようとしたが、被写体は画面中央分に存在する確率が高く、測距ポイント１ａ，１ｂ，１ｃが離れすぎると、その隙間に被写体が入るとピンボケになってしまう。一方、眼球は同一のポイントを見ようとしても固視微動と呼ばれる振動をしているので、視線検出ポイントを近接させると、検出時の信頼性が低くなる。
【００４２】
これに対して、第２の実施例では、前述のように視線検出ポイントはなるべく間隔をとり、測距ポイントは近接させてＡＦの失敗に対応させ、動作の安定性や使い易さを高めている。つまり、測距ポイント（３点）と同じ数だけの視線検出ポイントを持つ場合より本発明は単純安価かつ固視微動を対策し、高信頼性での設計が可能となる。
【００４３】
以上の実施例では、視線検出技術の単純化と判定が困難な時の性能保証については述べたが、視線検出判定が困難な時の性能保証について特に水陸両用カメラを例にとり、更に詳細に示した第３の実施例について説明する。
【００４４】
先ず、図７には図２（ｂ）に相当する光学系の配置を示し説明する。第３の実施例では、ＩＲＥＤ１１のハーフミラー２８を透過した光をプリズム５０を介して受光素子５１にて受光する点が異なっている。プリズム５０は面５０ａの所で上記ＩＲＥＤの光を全反射して受光素子５１に入射させているが、仮に位置１ａの部分に水が接触すると、全反射条件が満たされなくなって、受光素子５１の受光量が減少してしまう。つまり、受光素子５１の出力を不図示のＣＰＵがモニタすることにより水中判定が可能となる。このように、水中判定と視線検出が可能なカメラが第３の実施例であるが、水中写真撮影時には使用者は水中眼鏡をかけており、視線検出は不可能となると考えられる。
【００４５】
この第３の実施例では、図８に示すようなシーケンスにより、水中判定時には視線検出を行わないようにしている。誤って、視線方向を検出して思いもよらぬ方向の測距を行って失敗写真を撮影してしまうことを防止する。
【００４６】
即ち、１ｓｔレリーズスイッチのＯＮが検出されると（ステップＳ２００）、センサ５１の出力より水中検知結果を判定する（ステップＳ２０１）。水中である場合には視線検出を行わず測距する（ステップＳ２１０）。この測距は、多点ＡＦの最至近選択でもよいが、比較的小さい被写体を大きく撮影する機会の多い水中撮影なので、中央一点測距として多点測距を禁止した形で行ってもよい。
【００４７】
また、水中でないと判定された時は、視線判定を行い（ステップＳ２０２）、視線を加味した測距を行う（ステップＳ２０３）。こうして、ステップＳ２０４にて２ｎｄレリーズスイッチがＯＮされると、ステップＳ２０３，Ｓ２１０での測距結果に従ってピント合せを行い（ステップＳ２０５）、露光を行い（ステップＳ２０６）、シーケンスを終了する。
【００４８】
以上説明したように、第３の実施例では、水中においては撮影者が水中めがねをかけている事が多いということから、視線検出を禁止して、誤った検出がなされないように対策した。このように、陸上では使用者の視線方向を考慮したピント合せを行い、水中では例えば中央重点のピント合せを行うように切り換え制御できるので、状況に応じて正確な失敗のない撮影が楽しめる。
【００４９】
尚、以上の実施例の眼底照明用の信号光は反射率の高い盲点からの反射を想定して表示用ＬＥＤとは別のＩＲＥＤ１１によって発光させたが、十分なＳ／Ｎが得られなければ、盲点や赤外線にこだわる必要はなく、表示用ＬＥＤの光を眼底照射用信号光として利用してもよい。また、上記各実施例では、光投射型の所謂アクティブＡＦのマルチＡＦを前提として記述したが、被写体の輝度分布情報に基づいた所謂パッシブ型のＡＦにて、マルチＡＦを構成してもよい。
【００５０】
以上詳述したように、本発明のカメラでは、単純で安価な視線検出装置と画面内の複数のポイントを測距できる多点ＡＦの技術を効果的に結び付け、相互の問題点を打ち消し合ったので、あらゆるシーンにおいて、主要被写体に正しくピント合せできるオートフォーカスカメラが安価で提供できる。
【００５１】
尚、本発明の上記実施態様によれば、以下のごとき構成が得られる。
【００５２】
（１）写真画面内の中央を含む複数のポイントを測距できる測距手段と、撮影者が画面内中央を見つめていることを検出する中央視線検出手段と、上記中央視線検出手段が視線検出判定したときには上記測距手段の中央測距のみを有効とするように上記測距手段の出力を選択する選択手段と、からなることを特徴とするカメラ。
【００５３】
（２）撮影者が写真画面内の周辺部を検出していることを判定する周辺視線判定手段と、上記写真画面内の中央と周辺とを測距できる測距手段と、上記周辺視線判定手段が視線判定できないときには上記測距手段のうち画面中央の測距結果を有効とするように上記測距手段の出力を選択する選択手段と、からなることを特徴とするカメラ。
【００５４】
（３）カメラの使用環境が水中か陸上かを判別する水中判定手段と、撮影者がファインダ画面内のどの方向を見ているかを判定する視線判定手段と、上記視線判定手段の出力結果に従って画面内の複数ポイントの測距結果を選択する測距手段と、を有するカメラにおいて、上記水中判定手段が水中であると判定したときには上記視線判定手段の出力結果を無視して上記測距手段の出力を選択する選択手段と、を有することを特徴とするカメラ。
【００５５】
（４）撮影者が被写体を観察するファインダ画面内の所定のポイントを表示する表示手段と、上記表示手段の近傍から信号光を投光する投光手段と、を有し、撮影者が上記表示手段を見つめた時に撮影者の眼底からの上記信号光の反射信号を受光するように設けられた受光手段を具備したことを特徴とする視線方向判別装置。
【００５６】
（５）上記（４）に記載の視線方向判別装置において、上記表示手段を形成する発光素子を具備し、この発光素子が前記信号光投光手段を兼ねることを特徴とする視線方向判別装置。
【００５７】
（６）撮影画面内の複数ポイントの測距データを得ることが可能なカメラにおいて、上記複数の測距ポイントとは独立に設けられたファインダ画面内の複数の検出領域のうち撮影者が注視している領域を検出する視線検出手段と、上記視線検出手段の出力に応答して上記複数の測距データの中から１つの測距データを選択する判定手段と、を具備したことを特徴とするカメラ。
【００５８】
（７）上記視線検出手段の複数の検出領域は画面の左右端部の近傍にそれぞれ設けられたことを特徴とする（６）に記載のカメラ。
【００５９】
（８）撮影画面内の中央を含んだ複数ポイントの測距データを得ることが可能なカメラにおいて、撮影者がファインダ画面中央部を注視していることを検出する視線検出手段と、上記視線検出手段により撮影者の視線が画面中央部にあると判断しているときは画面中央の測距データを選択し、画面中央部にないときには所定の判断基準により上記複数の測距ポイントから１つの測距データを選択する選択手段と、を具備したことを特徴とするカメラ。
【００６０】
【発明の効果】
本発明によれば、簡単な構成により、あらゆるシーンにおいて主要被写体に正しくピントを合わせた写真を撮影できるカメラを提供することができる。
【図面の簡単な説明】
【図１】本発明のカメラの概念図である。
【図２】本発明の第１の実施例に係るカメラの構成を示す図である。
【図３】第１の実施例に係るカメラのＣＰＵ１０の動作を示すフローチャートである。
【図４】（ａ）は主被写体が撮影画面の中央以外にある構図例を示し、（ｂ）は主被写体よりも至近の被写体が撮影画面の中央以外にある構図例を示す図である。
【図５】前述した図１（ｂ）に基づく本発明の第２の実施例に係るカメラの構成を示す図である。
【図６】第２の実施例に係るカメラのＣＰＵ１０の動作を示すフローチャートである。
【図７】図２（ｂ）に相当する第３の実施例に係るカメラの光学系の配置を示す図である。
【図８】第３の実施例によるＣＰＵの動作を示すフローチャートである。
【符号の説明】
１…多点ＡＦ部、２…ピント合せ部、３…中央視線検出部、４…視線検出部、５…分割ＡＦ部、１０…判定部。
【図１】
2004004909.tif 000003
【図２】
2004004909.tif 000004
【図３】
2004004909.tif 000005
【図４】
2004004909.tif 000006
【図５】
2004004909.tif 000007
【図６】
2004004909.tif 000008
【図７】
2004004909.tif 000009
【図８】
2004004909.tif 000010